(57)【要約】      （修正有）【課題】把持シャフトと貫通穴との隙間から雨等が侵入することがなく、使用時に防水布がばたつくこともない傘を提供する。【解決手段】板状に構成され、使用時に雨を受ける第１傘部３と、板状に構成され、第１傘部と対向する収納位置と収納位置から離間して第１傘部と協働して雨を受ける使用位置との間で揺動可能な第２傘部５と、第１傘部の端辺側及び第２傘部の端辺側を揺動可能に支持するフレーム７と、フレームに設けられた棒状の把持シャフト９とを備える。第１及び第２傘部とそれぞれ重なる位置とずれた位置との間でフレームの長手方向に平行移動可能な板状の第３〜第６傘部１１、１３、１５、１７を備えることが好ましい。【選択図】図１
0003199962.tif 000002
【実用新案登録請求の範囲】
【請求項１】
少なくとも雨を防ぐことが可能な傘において、
板状に構成された第１傘部であって、使用時に雨を受ける第１傘部と、
板状に構成された第２傘部であって、前記第１傘部と対向する収納位置と当該位置から離間して前記第１傘部と協働して雨を受ける使用位置との間で揺動可能な第２傘部と、
前記第１傘部の端辺側及び前記第２傘部の端辺側を揺動可能に支持するフレームと、
前記フレームに設けられた棒状の把持シャフトと
を備えることを特徴とする傘。
【請求項２】
前記第１傘部の板面及び前記第２傘部の板面のうち、前記収納位置にあるときに互いに対向する板面が、使用時に雨を受ける防水面となることを特徴とする請求項１に記載の傘。
【請求項３】
前記フレームの長手方向と平行な方向に平行移動可能であって、前記第１傘部と重なる位置と当該位置からずれた位置との間で移動可能な板状の第３傘部と、
前記フレームの長手方向と平行な方向に平行移動可能であって、前記第２傘部と重なる位置と当該位置からずれた位置との間で移動可能な板状の第４傘部と
を備えることを特徴とする請求項１又は２に記載の傘。
【請求項４】
前記把持シャフトは、前記フレームに対して揺動可能に組み付けられていることを特徴とする請求項１ないし３のいずれか１項に記載の傘。
【請求項５】
前記把持シャフトは、伸縮自在なテレスコープ構造であることを特徴とする請求項１ないし４のいずれか１項に記載の傘。
【請求項６】
前記収納位置にある前記第１傘部及び前記第２傘部を収納可能なブックケース状の収納部材を備えることを特徴とする請求項１ないし５のいずれか１項に記載の傘。
【請求項７】
前記第１傘部及び前記第２傘部は、アクリル樹脂製であることを特徴とする請求項１ないし６のいずれか１項に記載の傘。
【考案の詳細な説明】
【技術分野】
【０００１】
本考案は、雨、雪又は日光等から利用者を守ることが可能な傘に関する。
【背景技術】
【０００２】
例えば、特許文献１に記載の傘は、防水布の表面が内部に収容されるように閉じる逆閉じ方式の傘である。防水布の表面とは、使用時に雨等を受ける面をいう。
【先行技術文献】
【特許文献】
【０００３】
【特許文献１】特許第１４０８７２０号明細書
【考案の概要】
【考案が解決しようとする課題】
【０００４】
特許文献１に記載の傘に係る把持シャフトは、防水布を貫通し、かつ、傘を開閉する際に把持シャフトが防水布に対してスライド変位する。把持シャフトとは、使用時に使用者により把持される棒状の部材をいう。
【０００５】
つまり、当該把持シャフトは、防水布に設けられた貫通穴に滑り接触する。このため、把持シャフトと貫通穴との隙間から雨等が侵入するおそれが高い、という課題がある。
さらに、特許文献１に記載の傘では、略円錐状に構成された防水布の頂点が、傘を開閉する際に反転する。つまり、傘が閉じた状態では、防水布が下向きに凸の円錐状である。傘が開いた状態では、防水布が上向きに凸の円錐状である。
【０００６】
そして、特許文献１に記載の傘では、傘が開いたときに防水布に発生する張力を小さくすることにより、防水布の頂点が容易に反転できるような構成としている。このため、特許文献１に記載の傘では、使用時に防水布が「ばたつく」可能性が高い、という課題がある。
【０００７】
本考案は、上記点に鑑み、上記課題のうち少なくとも１つを解決可能な傘を提供することを目的とする。
【課題を解決するための手段】
【０００８】
本願では、少なくとも雨を防ぐことが可能な傘において、板状に構成された第１傘部（３）であって、使用時に雨を受ける第１傘部（３）と、板状に構成された第２傘部（５）であって、第１傘部（３）と対向する収納位置と当該位置から離間して第１傘部（３）と協働して雨を受ける使用位置との間で揺動可能な第２傘部（５）と、第１傘部（３）の端辺側及び第２傘部（５）の端辺側を揺動可能に支持するフレーム（７）と、フレーム（７）に設けられた棒状の把持シャフト（９）とを備える。
【０００９】
そして、本願考案では、板状の第１傘部（３）及び第２傘部（５）により雨等を受けるので、使用時に第１傘部（３）及び第２傘部（５）が「ばたつく」ことを抑制できる。
第１傘部（３）及び第２傘部（５）は、フレーム（７）に対して揺動し、特許文献１に記載の発明のごとく、把持シャフトが貫通する貫通穴を第１傘部（３）等に設ける必要がない。
【００１０】
因みに、上記各手段等の括弧内の符号は、後述する実施形態に記載の具体的構成等との対応関係を示す一例であり、本考案は上記各手段等の括弧内の符号に示された具体的構成等に限定されるものではない。
【図面の簡単な説明】
【００１１】
【図１】本考案の実施形態に係る傘１の構成を示す図である。
【図２】本考案の実施形態に係る傘１の構成を示す図である。
【図３】本考案の実施形態に係る傘１の収納位置等を示す図である。
【図４】本考案の実施形態に係る第１傘部３及び第２傘部５の構成を示す図である。
【考案を実施するための形態】
【００１２】
以下に説明する「考案の実施形態」は実施形態の一例を示すものである。つまり、実用新案登録請求の範囲に記載された考案特定事項等は、下記の実施形態に示された具体的構成や構造等に限定されるものではない。
【００１３】
各図に付された方向を示す矢印等は、各図相互の関係を理解し易くするために記載したものである。本考案は、各図に付された方向に限定されるものではない。少なくとも符号を付して説明した部材又は部位は、「複数」や「２つ以上」等の断りをした場合を除き、少なくとも１つ設けられている。以下、本考案の実施形態を図面と共に説明する。
【００１４】
（第１実施形態）
１．傘の構造
本実施形態に係る傘１は、図１に示すように、少なくとも、第１傘部３、第２傘部５、フレーム７及び把持シャフト９等を備える。第１傘部３は、矩形板状に構成された部材であって、使用時に雨等を受ける部材である。
【００１５】
第２傘部５は、矩形板状に構成された部材であって、第１傘部３と対向する収納位置（図２又は図３参照）と当該位置から離間した使用位置（図１参照）との間で揺動可能な部材である。
【００１６】
第１傘部３及び第２傘部５が、使用位置（図１に示す状態）にあるときに、第２傘部５は、第１傘部３と協働して雨等を受ける。つまり、図１に示す状態は、本実施形態に係る傘１を使用する際の状態を示す。
【００１７】
そして、第１傘部３の板面及び第２傘部５の板面のうち、収納位置にあるときに互いに対向する板面３Ａ、５Ａが、使用時に雨を受ける防水面となる。つまり、第１傘部３の板面及び第２傘部５の板面のうち把持シャフト９と反対側に位置する板面３Ａ、５Ａが、使用時に雨を受ける防水面となる。
【００１８】
フレーム７は、第１傘部３の端辺側及び第２傘部５の端辺側を揺動可能に支持する部材である。具体的には、図４に示すように、第１傘部３と第２傘部５とは、アクリル樹脂板にて一体成形され、１枚の矩形板状の部材Ｐとなっている。
【００１９】
当該部材Ｐのうち第１傘部３の端辺Ｌ１、及び第２傘部５の端辺Ｌ２には、他の部位に比べて、厚み寸法が小さくなった薄肉部が設けられている。このため、第１傘部３は端辺Ｌ１を揺動軸線として揺動可能となり、第２傘部５は端辺Ｌ２を揺動軸線として揺動可能となる。
【００２０】
部材Ｐのうち端辺Ｌ１と端辺Ｌ２との間のうち部位Ｐ１は、フレーム７に固定されている。このため、第１傘部３及び第２傘部５は、フレーム７に対して揺動可能な状態で当該フレーム７に支持された構成となる。
【００２１】
把持シャフト９は、フレーム７に設けられた棒状の部材であって、使用者が傘１を使用する際に使用者が把持するための部材である。把持シャフト９は、図２に示すように、ヒンジ部９Ａを介してフレーム７に対して揺動可能に組み付けられている。
【００２２】
具体的には、把持シャフト９は、その長手方向がフレーム７の長手方向と直交する状態（図１参照）と、当該長手方向がフレーム７の長手方向と平行となる状態（図３参照）との間で揺動できる。
【００２３】
把持シャフト９は伸縮自在なテレスコープ構造となっている。つまり、把持シャフト９は、直径寸法が異なる複数の円筒材を有している。それら円筒材は、その長手方向に直列に並べられた状態で取り合う円筒材に出没可能に挿入されている。このため、把持シャフト９は、伸張した状態（図２参照）と縮小した状態（図３参照）との間で伸縮できる。
【００２４】
本実施形態に係る傘１は、図１に示すように、第１傘部３及び第２傘部５に加えて、第３傘部１１〜第６傘部１７を有している。第３傘部１１〜第６傘部１７は、フレーム７の長手方向と平行な方向に平行移動可能な矩形板状の部材である。
【００２５】
第３傘部１１及び第５傘部１５は、第１傘部３と重なる位置と当該位置からずれた位置（二点鎖線の示す位置）との間で移動可能である。第４傘部１３及び第６傘部１７は、第２傘部５と重なる位置と当該位置からずれた位置（二点鎖線の示す位置）との間で移動可能である。
【００２６】
第３傘部１１及び第４傘部１３は、第１傘部３に対して上記長手方向一端側（図１の右側）に移動可能である。第５傘部１５及び第６傘部１７は、第１傘部３に対して上記長手方向他端側（図１の左側）に移動可能である。
【００２７】
第３傘部１１及び第４傘部１３、並びに第５傘部１５及び第６傘部１７は、第１傘部３及び第２傘部５と同様な構成である。
つまり、第３傘部１１と第４傘部１３とは一枚のアクリル樹脂板にて構成され、かつ、当該アクリル樹脂板には、第３傘部１１及び第４傘部１３を揺動可能とする薄肉部が設けられている。
【００２８】
第５傘部１５と第６傘部１７とは一枚のアクリル樹脂板にて構成され、かつ、当該アクリル樹脂板には、第５傘部１５及び第６傘部１７を揺動可能とする薄肉部が設けられている。
【００２９】
第３傘部１１及び第４傘部１３を構成するアクリル樹脂板のうち第３傘部１１と第４傘部１３との間の部位、つまり一対の薄肉部の間の部位がフレーム７にスライド可能に組み付けられている。
【００３０】
第５傘部１５及び第６傘部１７を構成するアクリル樹脂板のうち第５傘部１５と第６傘部１７との間の部位、つまり一対の薄肉部の間の部位がフレーム７にスライド可能に組み付けられている。
【００３１】
そして、第３傘部１１及び第５傘部１５が第１傘部３に重なり、かつ、第４傘部１３及び第６傘部１７が第２傘部５に重なった状態で、第１傘部３及び第２傘部５を収納位置とすると、図３に示すように、傘１は、恰も本（ブック）を閉じたような状態となる。
【００３２】
収納部材１９は、収納位置にある第１傘部３及び第２傘部５等を収納するための部材であって、ブックケース状に構成されている。収納部材１９は、扁平状の箱体であって、当該箱体を構成する６つの面のうち少なくとも１つの面は、開放又は開閉可能な構成となっている。なお、収納部材１９もアクリル樹脂板にて構成されている。
【００３３】
把持シャフト９には、第１傘部３及び第２傘部５等を収納位置と使用位置との間の位置で保持する保持部（図示せず。）が設けられている。つまり、傘１を使用する者は、当該保持部を操作して第１傘部３及び第２傘部５等の開き具合を調節することができる。
【００３４】
２．傘の特徴
本願実施形態では、板状の第１傘部３及び第２傘部５により雨等を受けるので、使用時に第１傘部３及び第２傘部５が「ばたつく」ことを抑制できる。さらに、第１傘部３及び第２傘部５は、フレーム７に対して揺動し、特許文献１に記載の発明のごとく、把持シャフトが貫通する貫通穴を第１傘部３等に設ける必要がない。
【００３５】
本実施形態では、第１傘部３の板面及び第２傘部５の板面のうち、収納位置にあるときに互いに対向する板面が、使用時に雨を受ける防水面となる。これにより、収納位置にあるときには、雨等により濡れた面が使用者側（外側）に位置しないので、使用者が第１傘部３に付着した雨等で濡れてしまうことを抑制できる。
【００３６】
本実施形態では、第１傘部３と重なる位置と当該位置からずれた位置との間で移動可能な板状の第３傘部１１及び第５傘部１５と、第２傘部５と重なる位置と当該位置からずれた位置との間で移動可能な板状の第４傘部１３及び第６傘部１７とを備える。
【００３７】
これにより、本実施形態では、収納位置にあるときの傘１を小型にしつつ、傘１の使用時には雨等を受ける面積を大きくできる。
本実施形態では、把持シャフト９は、伸縮自在なテレスコープ構造である。これにより、傘１を小型にした状態で収納できる。
【００３８】
本実施形態では、収納位置にある第１傘部３及び第２傘部５を収納可能なブックケース状の収納部材１９を備える。これにより、傘１を小型にした状態で収納できる。
（その他の実施形態）
上述の実施形態では、第３傘部１１〜第６傘部１７を備えていたが、本考案はこれに限定されるものではなく、例えば、第３傘部１１〜第６傘部１７のうち少なくとも１つ廃止してもよい。
【００３９】
上述の実施形態では、第３傘部１１〜第６傘部１７が第１傘部３等に対して平行移動する構成であったが、本考案はこれに限定されるものではなく、例えば、第３傘部１１を第１傘部３に対して揺動可能としてもよい。
【００４０】
上述の実施形態に係る把持シャフト９は、伸縮自在なテレスコープ構造であって、フレーム７に揺動可能に組み付けられていたが、本考案はこれに限定されるものではなく、例えば、把持シャフト９を折り畳み方式としてもよい。
【００４１】
上述の実施形態に係る第１傘部３等は、アクリル樹脂板にて構成されていたが、本考案はこれに限定されるものではなく、例えば、矩形枠に防水布を貼付して板状としてもよい。
【００４２】
上述の実施形態に係る第１傘部３〜第６傘部１７はフレーム７側の端辺のみで揺動する構成であったが、本考案はこれに限定されるものではなく、例えば、フレーム７側の端辺に加えて、当該フレーム７側の端辺からずれた位置で折り畳み可能な構成としてもよい。つまり、収納位置となったときに、第１傘部３〜第６傘部１７が「Ｗ」字状に折り畳み可能な構成としてもよい。
【００４３】
また、本考案は、実用新案登録請求の範囲に記載された考案の趣旨に合致するものであればよく、上述の実施形態に限定されるものではない。
【符号の説明】
【００４４】
１… 傘  ３… 第１傘部  ５… 第２傘部  ７… フレーム
９… 把持シャフト  １１… 第３傘部  １３… 第４傘部
１５… 第５傘部  １７… 第６傘部  １９… 収納部材
【図３】
0003199962.tif 000003
【図４】
0003199962.tif 000004
【図１】
0003199962.tif 000005
【図２】
0003199962.tif 000006